(57)【要約】【課題】本発明は、飛翔能力がない捕食性天敵生物を生物農薬として用いる場合でも、放飼された栽培植物の株から他の栽培植物の株への分散を可能とし、給餌による定着率も高めることを可能とした、天敵生物の定着促進・移動促進用補助器具を用いた天敵生物の分散方法を提供することを目的とする。【解決手段】複数の栽培植物Ｐの株間に架け渡されて天敵生物Ｅが外面を伝わって移動することができる天敵生物の定着促進・移動促進用補助器具１を用いた天敵生物の分散方法であって、複数の栽培植物Ｐの株のうちの任意に選択された栽培植物Ｐの株に天敵生物Ｅを放飼する工程と、接着剤で食餌材３を付加した紐状部材２を、複数の栽培植物Ｐの株のうちの天敵生物Ｅが放飼された栽培植物Ｐの株と、天敵生物Ｅが放飼されていない栽培植物Ｐの株との間に架け渡す工程とを含むことを特徴としている。【選択図】図６
2018191548.tif 000002
【特許請求の範囲】
【請求項１】
複数の栽培植物の株間に架け渡されて天敵生物が外面を伝わって移動することができる天敵生物の移動用補助器具であって、
紐状部材と、前記紐状部材の外面に接着剤により付着された天敵生物の食餌材とで構成されていることで天敵生物の定着を向上させることができることを特徴とする天敵生物の定着促進・移動促進用補助器具。
【請求項２】
前記紐状部材の外周に前記紐状部材の全長よりも軸方向寸法の短い筒状部材が複数に装着されることを特徴とする請求項１に記載の天敵生物の定着促進・移動促進用補助器具。
【請求項３】
前記紐状部材に装着された筒状部材間に隙間が形成されて、前記筒状部材間の隙間から前記紐状部材及び前記紐状部材に付着された前記食餌材が露出していることを特徴とする請求項２に記載の天敵生物の定着促進・移動促進用補助器具。
【請求項４】
前記筒状部材の内径は、前記紐状部材との間に隙間ができるように、前記紐状部材の外径よりも大きいことを特徴とする請求項２又は請求項３に記載の天敵生物の定着促進・移動促進用補助器具。
【請求項５】
請求項１から請求項４のいずれかに記載の天敵生物の定着促進・移動促進用補助器具を用いた天敵生物の分散方法であって、
複数の栽培植物の株のうちの任意に選択された１又は２以上の栽培植物の株に天敵生物を放飼する工程と、
接着剤で食餌材を付加した紐状部材を、少なくとも、前記複数の栽培植物の株のうちの前記天敵生物が放飼された１又は２以上の栽培植物の株と、天敵生物が放飼されていない１又は２以上の栽培植物の株との間に架け渡す工程とを含むことを特徴とする天敵生物の分散方法。
【発明の詳細な説明】
【技術分野】
【０００１】
本発明は、天敵生物の定着を高め、さらに天敵生物の、農作物や園芸用植物等の栽培植物の株間の移動を補助するための器具、並びにこの器具を用いて天敵生物の分散を高める方法に関する。
【背景技術】
【０００２】
近年において、例えば特許文献１から３に示されるように、ナス等の農作物やバーベナ等の園芸用植物に、有害な害虫を捕食する捕食性天敵生物を放飼する生物農薬が用いられている。この捕食性天敵生物には、カブリダニ類のように飛翔を行わないタイプと、カメムシ類、テントウムシ類等のように幼虫の時期には飛翔することができず、成虫になると飛翔可能になるタイプとが存在する。
【０００３】
捕食性天敵生物は、害虫の発生数が少ない発生初期に、生物農薬として農園、畑、庭園やビニールハウス等に放飼する必要がある。しかし、餌となる害虫が少ないので、飛翔可能な捕食性天敵生物は簡易に飛んで他の場所に移動するおそれがある。また、飛翔を行わない捕食性天敵生物や、成虫になると飛翔可能になる捕食性天敵生物を幼虫の状態で放飼した場合でも、歩行することで他の場所に移動する場合がある。このため、捕食性天敵生物は、そのままでは農園、畑、庭園やビニールハウス等への成虫段階の定着率が悪いので、生物農薬として十分な効果を得るための対策が必要となる。
【０００４】
従って、害虫の発生初期でも捕食性天敵生物の農園、畑、庭園やビニールハウス等への定着率を高めるために、害虫の代用となる代用餌、例えばスジコナマダラメイガの冷凍卵、アルテミア（ブラインシュリンプ）の耐久卵、ガマの花粉などを農作物や園芸用植物の葉の上に散布し、これを摂食させることで移動を防ぐという方法が採られている。また、捕食性天敵生物の成虫段階の定着率を高めるために、例えば特許文献２、３に示されるように、成虫になっても飛翔能力のないテントウムシ類を放飼する方法が開発されている。
【先行技術文献】
【特許文献】
【０００５】
【特許文献１】特開２００７−２９７２９３号公報
【特許文献２】国際公開第２００７／１４８５６７号
【特許文献３】特開２０１０−１８３９０２号公報
【発明の概要】
【発明が解決しようとする課題】
【０００６】
もっとも、農作物や園芸用植物の葉は、幅が細いものや、先端が基端に対し水平よりも上方又は下方に向けて延びたものがある。このような葉の上に代用餌を散布しても地面に落下してしまい、放飼された捕食性天敵生物の定着率を高めるための餌量として十分に供給されないことがある。さらに代用餌を農作物や園芸用植物の１株ずつ散布するのも煩雑であるため、実際には普及していない。
【０００７】
また、捕食性天敵生物を、農園、畑、庭園やビニールハウス等の全体で生物農薬として機能させるためには、農作物や園芸用植物の全ての株に少量ずつ均一に放飼することが好ましいが実際には難しい。このため、所定の本数を空けつつ、ある程度まとめて放飼するのが現実である。農作物や園芸用植物の株間が離れていると、隣り合う農作物や園芸用植物の葉等が隣接した状態になく、捕食性天敵生物は、葉等の重なった部分を伝わって隣の農作物や園芸用植物に移動することができない。
【０００８】
この場合に、特許文献２、３に示されるように、捕食性天敵生物の飛翔能力をなくすと、農作物や園芸用植物から地面に降りる必要が生ずるので、放飼された農作物若しくは園芸用植物から隣の農作物若しくは園芸用植物に移動することが困難となる。このため、捕食性天敵生物が放飼された農作物若しくは園芸用植物の株から他の農作物若しくは園芸用植物の株に分散できず、農園、畑、庭園やビニールハウス等の全体では生物農薬として十分に機能しない不具合が考えられる。この不具合は、飛翔可能な捕食性天敵生物の幼虫やカブリダニ類等の最初から非飛翔性の捕食性天敵生物でも同様に考えられる。
【０００９】
そこで、本発明は、農作物若しくは園芸用植物等の葉の状態にかかわらず、安定的に代用餌を給餌することで、餌となる害虫の発生数が少ない発生初期であっても捕食性天敵生物の移動を防ぎ、定着率を高めることを可能とし、さらに、飛翔能力がない捕食性天敵生物を生物農薬として用いる場合でも、放飼された農作物若しくは園芸用植物等の栽培植物の株から他の栽培植物の株への分散を可能とした、天敵生物の定着促進・移動促進用補助器具及びこれを用いた天敵生物の分散方法を提供することを目的としている。
【課題を解決するための手段】
【００１０】
請求項１の発明に係る天敵生物の定着促進・移動促進用補助器具は、複数の栽培植物の株間に架け渡されて天敵生物が外面を伝わって移動することができる天敵生物の定着促進・移動促進用補助器具であって、紐状部材と、前記紐状部材の外面に接着剤により付着された天敵生物の食餌材とで構成されていることで天敵生物の定着を向上させることができることを特徴とする。
【００１１】
天敵生物は、例えば、捕食性カメムシ類やテントウムシ類等の昆虫であって、その幼虫や成虫段階でも飛翔能力が失われたもの、また、カブリダニ類等の生物であって最初から飛翔能力を有しないものが該当する。栽培植物は、例えば、キュウリ、ナス、トマト等の多種多様な農作物や、バーベナ、カーネーション、バラ等の園芸用植物が該当する。
【００１２】
これにより、定着促進・移動促進用補助器具の外面に付着された食餌材により天敵生物への給餌が可能になるので、天敵生物の捕食対象となる害虫の発生が少ない初期段階でも、天敵生物が放飼する場所への定着率が上昇する。食餌材が付着した定着促進・移動促進用補助器具を複数の栽培植物に架け渡らせることで、栽培植物１株ずつに食餌材を配置したのと同様の効果を得ることができる。
また、ある農作物若しくは園芸用植物の株に放飼された天敵生物は、定着促進・移動促進用補助器具を伝わって、隣の農作物若しくは園芸用植物の株に、株間に渡らせた定着促進・移動促進用補助器具の紐状部材を伝わって移動する。しかも、定着促進・移動促進用補助器具の紐状部材の外面に食餌材を付着したことで、食餌材に誘引されて天敵生物の移動率が上昇する。
【００１３】
請求項２の発明に係る天敵生物の定着促進・移動促進用補助器具は、前記紐状部材の外周に装着された筒状部材を有することを特徴としている。前記紐状部材に装着された筒状部材間に隙間が形成されて、前記筒状部材間の隙間から前記紐状部材及び前記紐状部材に付着された前記食餌材が露出している（請求項３）。前記筒状部材の内径は、前記紐状部材との間に隙間ができるように、前記紐状部材の外径よりも大きい（請求項４）。筒状部材の素材は、例えばポリエチレンテレフタレート等の合成樹脂や紙等である。筒状部材は、例えば、軸方向から見た形状が楕円状若しくは長円状となって、紐状部材を軸心に回転しないようにしても良い。
【００１４】
これにより、天敵生物のうちのある種のものは、筒状部材と筒状部材との間から筒状部材と紐状部材との隙間に入り込んで、筒状部材内を隠れ場所とするので、天敵生物の定着率が更に上昇する。また、筒状部材をプラスチック等の耐水性に優れた素材で形成し或いは耐水加工を施すことで、栽培用に散布される水、雨水や、結露から紐状部材や紐状部材に付着した食餌材を保護することが可能となる。更に、農薬を栽培植物の株に散布する場合にも、天敵生物が暴露するおそれを小さくすることが可能である。
【００１５】
請求項５の発明に係る天敵生物の分散方法は、請求項１から請求項４のいずれかに記載の天敵生物の定着促進・移動促進用補助器具を用いた天敵生物の分散方法であって、複数の栽培植物の株のうちの任意に選択された１又は２以上の栽培植物の株に天敵生物を放飼する工程と、接着剤で食餌材を付加した紐状部材を、少なくとも、前記複数の栽培植物の株のうちの前記天敵生物が放飼された１又は２以上の栽培植物の株と、天敵生物が放飼されていない１又は２以上の栽培植物の株との間に架け渡す工程とを含むことを特徴としている。
【００１６】
これにより、定着促進・移動促進用補助器具の外面に付着された食餌材により天敵生物に給餌することが可能になるので、天敵生物の捕食対象となる害虫が少ない初期段階でも、その食餌材を天敵生物が摂食することから、天敵生物が放飼する場所への定着率の上昇を図ることができる。そして、ある農作物若しくは園芸用植物の株に放飼された天敵生物を、定着促進・移動促進用補助器具を伝わって、隣の農作物若しくは園芸用植物の株に、株間に渡らせた定着促進・移動促進用補助器具の紐状部材を伝わって移動させることができる。しかも、定着促進・移動促進用補助器具の紐状部材の外面に食餌材を付着することにより、天敵生物が食餌材に誘引されるので天敵生物の移動率を上昇させることができる。
【発明の効果】
【００１７】
以上に述べたように、請求項１から請求項５に係る発明によれば、定着促進・移動促進用補助器具の外面に付着された食餌材により天敵生物に給餌することが可能になるので、天敵生物の捕食対象となる害虫が少ない初期段階でも、その食餌材を天敵生物が摂食することから、天敵生物が放飼する場所への定着率の上昇を図ることができる。
食餌材が付着した定着促進・移動促進用補助器具を複数の栽培植物に架け渡らせることで、栽培植物１株ずつに食餌材を配置したのと同様の効果を得ることができる。
食餌材が最初から確保されているので、天敵生物は食餌材を摂食して繁殖することが見込まれることから、食餌材が給えられていない場合よりも、最初に放飼する天敵生物の頭数を少なくすることが可能であり、増殖も速やかに行われる。
また、ある農作物若しくは園芸用植物の株に放飼された天敵生物を、隣の農作物若しくは園芸用植物の株に、株間に架け渡らせた定着促進・移動促進用補助器具の紐状部材を伝わって移動させることができる。
しかも、定着促進・移動促進用補助器具の紐状部材の外面に食餌材を付着することにより、食餌材で天敵生物が誘引されるので、天敵生物の移動率を上昇させることができる。
よって、飛翔能力がない天敵生物であっても、農園、畑、庭園やビニールハウス等に拡散させることができ、生物農薬として有効に活用することが可能である。
【００１８】
特に請求項２から請求項５に係る発明によれば、筒状部材が天敵生物のうちのある種のものは、筒状部材と筒状部材との間から筒状部材と紐状部材との隙間に入り込んで、筒状部材内を隠れ場所とするので、天敵生物の定着率を更に上昇させることが可能である。
また、筒状部材をプラスチック等の耐水性に優れた素材で形成し或いは耐水加工を施すことで、栽培用に散布される水、雨水、結露から紐状部材や紐状部材に付着した食餌材を保護することが可能となる。
更に、農薬を栽培植物の株に散布する場合にも、天敵生物が暴露するおそれを小さくすることが可能である。
【図面の簡単な説明】
【００１９】
【図１】図１は、本発明の天敵生物の定着促進・移動促進用補助器具の構成を総称的に示した説明図である。
【図２】図２（ａ）は、麻紐にアルテミアの耐久卵を付着した天敵生物の定着促進・移動促進用補助器具の構成を示した説明図であり、図２（ｂ）は、図２（ａ）に示される天敵生物の定着促進・移動促進用補助器具の拡大図である。
【図３】図３（ａ）は、毛糸の紐にアルテミアの耐久卵を付着した天敵生物の定着促進・移動促進用補助器具の構成を示した説明図であり、図３（ｂ）は、図３（ａ）に示される天敵生物の定着促進・移動促進用補助器具の拡大図である。
【図４】図４（ａ）は、毛糸の紐にガマの花粉を付着した天敵生物の定着促進・移動促進用補助器具の構成を示した説明図であり、図４（ｂ）は、図４（ａ）に示される天敵生物の定着促進・移動促進用補助器具の拡大図である。
【図５】図５（ａ）は、フェルト製の紐にガマの花粉を付着した天敵生物の定着促進・移動促進用補助器具の構成を示した説明図であり、図５（ｂ）は、図５（ａ）に示される天敵生物の定着促進・移動促進用補助器具の拡大図である。
【図６】図６は、栽培用植物がキュウリの場合の天敵生物の定着促進・移動促進用補助器具の配置例を示した説明図である。
【図７】図７は、栽培用植物がナスの場合の天敵生物の定着促進・移動促進用補助器具の配置例を示した説明図である。
【図８】図８は、栽培用植物がトマトの場合の天敵生物の定着促進・移動促進用補助器具の配置例を示した説明図である。
【図９】図９は、キュウリにタバコカスミカメを放飼した場合の実験結果を示した特性線図である。
【図１０】図１０は、トマトにタバコカスミカメを放飼した場合の実験結果を示した特性線図である。
【図１１】図１１は、ナスにタバコカスミカメを放飼した場合の実験結果を示した特性線図である。
【図１２】図１２は、バーベナにタバコカスミカメを放飼した場合の実験結果を示した特性線図である。
【図１３】図１３は、キュウリにクロヒョウタンカスミカメを放飼した場合の実験結果を示した特性線図である。
【図１４】図１４は、トマトにクロヒョウタンカスミカメを放飼した場合の実験結果を示した特性線図である。
【図１５】図１５は、ナスにクロヒョウタンカスミカメを放飼した場合の実験結果を示した特性線図である。
【図１６】図１６は、バーベナにクロヒョウタンカスミカメを放飼した場合の実験結果を示した特性線図である。
【図１７】図１７は、ナスにタバコカスミカメの幼虫を放飼した場合の実験結果を示した特性線図である。
【図１８】図１８は、バーベナにナミテントウの幼虫を放飼した場合の実験結果を示した特性線図である。
【図１９】図１９（ａ）は、紐状部材に筒状部材を複数に装着した天敵生物の定着促進・移動促進用補助器具の構成を示した説明図であり、図１９（ｂ）は、図１９（ａ）に示される天敵生物の定着促進・移動促進用補助器具の拡大図である。
【発明を実施するための形態】
【００２０】
以下、この発明の実施形態について添付図面を参照しながら説明する。
【００２１】
本発明の天敵生物の定着促進・移動促進用補助器具（以下、定着促進・移動促進用補助器具という。）１は、図１に示されるように、紐状部材２とこの紐状部材２に付着された食餌材３とで少なくとも構成されている。
【００２２】
紐状部材２は、例えば、図２（ａ）、（ｂ）に示されるような麻紐、図３（ａ）、（ｂ）や図４（ａ）、（ｂ）に示されるような羊毛等から成る毛糸の紐、図５（ａ）、（ｂ）に示されるようなフェルト製の紐や、図示しないビニール紐等がある。紐状部材２として、麻紐や、毛糸の紐を用いた場合には、土中で分解しやすいので、植物の栽培後に、植物残さと一緒に土中に鋤込み処理することが可能である。また、紐状部材２として、ビニール紐等の吸水性を有しない素材を用いた場合には、散布用の水や雨水が掛っても腐食せず、長期に用いることが可能である。紐状部材２の全長は、例えば２〜３ｍのものから１０ｍのものまであり、栽培植物の種類や農園、畑、庭園やビニールハウス等の天敵生物の放飼場所等の諸条件により使い分ける。
【００２３】
食餌材３は、天敵生物の捕食する害虫に代わって給付される代用餌と称されるもので、捕食性昆虫用には、例えば、図２（ｂ）、図３（ｂ）及び、図５（ｂ）に示されるような、アルテミア（ブラインシュリンプ）の耐久卵が使用される。図示しないが、スジコナマダラメイガの卵であって孵化しないように処理（例えば冷凍処理等。）されたものも使用される。捕食性ダニ類用には、例えば、図４（ｂ）に示されるような、ガマの花粉や図示しないがマツの花粉などが使用される。その他、粉状に加工した人工飼料等、放飼する天敵生物が摂食することができれば、特に限定されない。また、孵化しないように処理（例えば冷凍処理等）されたスジコナマダラメイガの卵とアルテミアの耐久卵との混合されたもの等、２種類以上混合したものを使用しても良い。
【００２４】
食餌材３を紐状部材２に付着するための接着剤は、その性質上図示されないが、例えば、でんぷん系の接着剤、アクリル樹脂系の接着剤、ゴム系の接着剤、松脂、膠等、多様なものが使用される。散布用の水や雨水が掛るおそれがある場所では、ゴム系等の非水溶性の接着剤の使用が好ましい。
【００２５】
次に、定着促進・移動促進用補助器具１の製造工程の一例及び農園、畑、庭園やビニールハウス等への配置について説明する。
【００２６】
定着促進・移動促進用補助器具１の製造工程は、例えば、接着剤に紐状部材２を浸した後、接着剤が乾く前に紐状部材２を食餌材３に通すことで、紐状部材２の外面に食餌材３を付着させることで行う。このような製造工程においては、紐状部材２の全長は、例えば２〜３ｍとすることが好適である。
【００２７】
定着促進・移動促進用補助器具１の配置は、栽培用植物Ｐが農作物の場合には畑やビニールハウス等の条状の畝に沿って栽培用植物Ｐの株が一列に並んでいるので、例えば図６から図８に示されるように、それぞれの株の葉や茎に這わせ、必要に応じて巻き付けるかたちで株間に渡らせる。栽培用植物Ｐの各株の間隔は、例えば４５ｃｍである。このため、下記に示す実験でも、栽培用植物Ｐの各株の間隔は４５ｃｍに設定されている。
【００２８】
定着促進・移動促進用補助器具１の配置の仕方は、栽培用植物Ｐの葉の付き方や形状、栽培用植物の高さ等によって変えていく。図６は、栽培用植物Ｐがキュウリの場合の定着促進・移動促進用補助器具１の配置例であり、図７は、栽培用植物Ｐがナスの場合の定着促進・移動促進用補助器具１の配置例であり、図８は、栽培用植物Ｐがトマトの場合の定着促進・移動促進用補助器具１の配置例である。
【００２９】
上記の工程で製造される定着促進・移動促進用補助器具１を用いる場合に、天敵生物の定着率が高まることについて、定着促進・移動促進用補助器具１を用いない場合との対比で、図９から図１６  に示される８つの実験結果に基づいて説明する。各実験は、一方においては、１５ｍ２のビニールハウス内に栽培用植物Ｐの２つの株を置き、栽培用植物Ｐの２つの株間に定着促進・移動促進用補助器具１を架け渡らせた状態で、２つの株間に合計で１０頭の天敵生物を放飼し、他方においては、１５ｍ２のビニールハウス内に栽培用植物Ｐの２つの株を置き、栽培植物Ｐの２つの株間に定着促進・移動促進用補助器具１を架け渡らせない状態で、２つの株に合計で１０頭の天敵生物を放飼し、１週間ごとに、それぞれの株にいる天敵生物の個体数を数える観察をするという実験を複数回行って平均化したものである。
【００３０】
図９は、キュウリにタバコカスミカメ（カメムシの一種）を放飼した場合の実験結果を示している。栽培用植物Ｐの２つの株間に定着促進・移動促進用補助器具１を架け渡らせない場合（定着促進・移動促進用補助器具１なしの場合）には、実験開始日から１週間後（‘１６/７/２４）には既にタバコカスミカメの個体数が０頭になっている。栽培用植物Ｐの２つの株間に移定着促進・移動促進用補助器具１を架け渡らせた場合（定着促進・移動促進用補助器具１ありの場合）には、実験開始日から１週間後（‘１６/７/２４）ではタバコカスミカメの個体数が１０頭から２頭まで減るが、その後の１週間ごと（‘１６/７/３１、‘１６/８/１））の観察日の計測では個体数が０頭になることはない。
【００３１】
図１０は、トマトにタバコカスミカメを放飼した場合の実験結果を示している。定着促進・移動促進用補助器具１なしの場合には、実験開始日から１週間後（‘１６/７/１）には既にタバコカスミカメの個体数が０頭になっている。定着促進・移動促進用補助器具１ありの場合には、実験開始日から１週間後（‘１６/７/１）ではタバコカスミカメの個体数が１０頭から減るが、その後の１週間ごと（‘１６/７/８、‘１６/７/１５）に観察した際の計測では個体数は４頭から６頭の間を推移している。
【００３２】
図１１は、ナスにタバコカスミカメを放飼した場合の実験結果を示している。定着促進・移動促進用補助器具１なしの場合には、実験開始日から２週間後（‘１６/６/１７）にはタバコカスミカメの個体数が０頭になっている。定着促進・移動促進用補助器具１ありの場合には、実験開始日から２週間後（‘１６/６/１７）の計測でも個体数は２頭以上となっており、しかも、３週間後（‘１６/６/２４）には逆に個体数が増加している。
【００３３】
図１２は、バーベナにタバコカスミカメを放飼した場合の実験結果を示している。定着促進・移動促進用補助器具１なしの場合と定着促進・移動促進用補助器具１ありの場合とを対比した場合に、実験開始日から１週間後（‘１６/６/３）、２週間後（‘１６/６/１０）、及び３週間後（‘１６/６/１７）の全てにおいて、定着促進・移動促進用補助器具１ありの場合の方が定着促進・移動促進用補助器具１なしの場合よりも、観察日に計測された個体数が多くなっている。
【００３４】
図１３は、キュウリにクロヒョウタンカスミカメ（カメムシの一種）を放飼した場合の実験結果を示している。２つの株間に定着促進・移動促進用補助器具１を架け渡らせない場合（定着促進・移動促進用補助器具１なしの場合）には、実験開始日から２週間後（‘１６/７/３１）にはクロヒョウタンカスミカメの個体数が０頭になっている。２つの株間に定着促進・移動促進用補助器具１を架け渡らせた場合（定着促進・移動促進用補助器具１ありの場合）には、実験開始日から１週間後（‘１６/７/２４）ではクロヒョウタンカスミカメの個体数が１０頭から２頭未満まで減るが、２週間後（‘１６/７/３１）、３週間後（‘１６/８/７）でも計測された個体数が０頭となることがない。
【００３５】
図１４は、トマトにクロヒョウタンカスミカメを放飼した場合の実験結果を示している。定着促進・移動促進用補助器具１なしの場合と定着促進・移動促進用補助器具１ありの場合とを対比した場合に、実験開始日から１週間後（‘１６/７/１）、２週間後（‘１６/７/８）、及び約３週間後（‘１６/７/１８）の全ての観測日において、定着促進・移動促進用補助器具１ありの場合の方が定着促進・移動促進用補助器具１なしの場合よりも、計測された個体数が多くなっている。
【００３６】
図１５は、ナスにクロヒョウタンカスミカメを放飼する場合の実験結果を示している。定着促進・移動促進用補助器具１なしの場合には、実験開始日から２週間後（‘１６/６/１０）にはクロヒョウタンカスミカメの個体数が既に０頭になっている。定着促進・移動促進用補助器具１ありの場合には、実験開始日から２週間後（‘１６/６/１７）の計測でも個体数は４頭以上となっており、しかも、３週間後（‘１６/６/２４）には逆に計測された個体数が増加している。
【００３７】
図１６は、バーベナにクロヒョウタンカスミカメを放飼する場合の実験結果を示している。定着促進・移動促進用補助器具１なしの場合には、実験開始日から１週間後（‘１６/６/３）、２週間後（‘１６/６/１０）、３週間後（‘１６/６/１７）と、計測されるクロヒョウタンカスミカメの個体数が暫時減少している。定着促進・移動促進用補助器具１ありの場合には、実験開始日から１週間後（‘１６/６/３）、２週間後（‘１６/６/１０）のいずれの計測においても、定着促進・移動促進用補助器具１なしの場合よりも計測された個体数が多く、しかも、３週間後（‘１６/６/１７）には２週間後（‘１６/６/１０）の時よりも計測された個体数が増加している。
【００３８】
これらの実験結果から、様々なパターンの実験を行っても、定着促進・移動促進用補助器具１を用いた場合の方が定着促進・移動促進用補助器具１を用いない場合よりも、いずれも天敵生物の定着性が高いことが判る。
【００３９】
ある栽培植物から他の栽培植物への天敵生物の移動率の実験結果として、定着促進・移動促進用補助器具１を架け渡らせた場合（定着促進・移動促進用補助器具１ありの場合）の方が、定着促進・移動促進用補助器具１を架け渡らせない場合（定着促進・移動促進用補助器具１なしの場合）よりも移動率が高いことについて、図１７及び図１８を用いて説明する。この実験で用いる天敵生物は、飛翔できないものである必要があるから、図１７ではタバコカスミカメの幼虫が用いられ、図１８ではナミテントウの幼虫が用いられている。この実験は、２つの栽培植物の株のうちの一方の株に１０頭の天敵生物を放飼し、放飼した日から１週間後に、放飼した一方の株から他方の株にどのくらい移動したかの実験を複数回にわたって行い平均化したものである。
【００４０】
図１７は、ナスにタバコカスミカメの幼虫を放飼した場合の実験結果を示している。ナスの２つの株間に定着促進・移動促進用補助器具１なしの場合と定着促進・移動促進用補助器具１ありの場合とを対比した場合に、定着促進・移動促進用補助器具１なしの場合には移動率が０パーセントであるのに対し、定着促進・移動促進用補助器具１ありの場合には、１２パーセントから１３パーセントの間の移動率となっている。
【００４１】
図１８は、バーベナにナミテントウの幼虫を放飼した場合の実験結果を示している。バーベナの２つの株間に定着促進・移動促進用補助器具１なしの場合と定着促進・移動促進用補助器具１ありの場合とを対比した場合に、定着促進・移動促進用補助器具１なしの場合には移動率が０パーセントであるのに対し、定着促進・移動促進用補助器具１ありの場合には、１０パーセントから１１パーセントの間の移動率となっている。
【００４２】
このように、栽培植物の２つの株間に定着促進・移動促進用補助器具１なしの場合には、飛翔できない天敵生物の放飼された株から隣接した株への移動がないのに対し、栽培植物の２つの株間に定着促進・移動促進用補助器具１を架け渡らせた場合には、例えば図６、図７、図８で図示される飛翔できない天敵生物Ｅの移動形態のような、飛翔できない天敵生物の放飼された株から隣接した株への移動が認められる。
【００４３】
前記実験は、タバコカスミカメの幼虫、ナミテントウの幼虫の例であるが、飛翔できない天敵生物の全てにおいて前記した条件で実験した場合に同様の結果が得られるものと考える。
【００４４】
これらの実験結果から、栽培植物の２つの株間に定着促進・移動促進用補助器具１を架け渡らせた場合の方が定着促進・移動促進用補助器具１を用いない場合よりも、天敵生物の移動率が高いことが判る。
【００４５】
ところで、定着促進・移動促進用補助器具１は、図１９に示されるように、更に、紐状部材２の外周に筒状部材４を装着するようにしても良い。筒状部材４は、例えば、図１９に示されるように、軸方向から見た形状が円形状となっている。もっとも、紐状部材２に装着した際に回転しないように、軸方向から見た形状が楕円形状ないし長円形状としても良い。更には、四角形状、その他の多角形状としても良い。筒状部材４は、プラスチックで形成され或いは紙の外面をコーティングすることで、耐水性、防水性を有したものとすることが好ましい。
【００４６】
筒状部材４の軸方向の寸法は、例えば５ｃｍのものであり、紐状部材２の全長が２ｍとすると、図１９に示されるように、多数の筒状部材４が１つの紐状部材２に装着される。これに伴い、筒状部材４、４間に例えば２ｃｍの間隔を空けることができ、この間隔から紐状部材２及びこの紐状部材２に付着された食餌材３が露出している。
【００４７】
筒状部材４は、紐状部材２の外周に装着したときに、紐状部材２との間に隙間Ｓが形成されるように、全部または一部の内径が紐状部材２の外径よりも大きくなっている。
【００４８】
これにより、天敵生物のうちのある種の生物は、筒状部材４、４間から筒状部材４と紐状部材２との隙間Ｓに入り込むので、筒状部材４が天敵生物の隠れ場所（シェルター）となり、先に示した図９から図１６に示される８つの実験結果よりも天敵生物の定着性の向上を図ることが可能である。
【符号の説明】
【００４９】
１  天敵生物の定着促進・移動促進用補助器具（定着促進・移動促進用補助器具）
２  紐状部材
３  食餌材
４  筒状部材
Ｐ  栽培用植物
Ｅ  天敵生物
Ｓ  筒状部材と紐状部材との隙間
【図１】
2018191548.tif 000003
【図２】
2018191548.tif 000004
【図３】
2018191548.tif 000005
【図４】
2018191548.tif 000006
【図５】
2018191548.tif 000007
【図６】
2018191548.tif 000008
【図７】
2018191548.tif 000009
【図８】
2018191548.tif 000010
【図９】
2018191548.tif 000011
【図１０】
2018191548.tif 000012
【図１１】
2018191548.tif 000013
【図１２】
2018191548.tif 000014
【図１３】
2018191548.tif 000015
【図１４】
2018191548.tif 000016
【図１５】
2018191548.tif 000017
【図１６】
2018191548.tif 000018
【図１７】
2018191548.tif 000019
【図１８】
2018191548.tif 000020
【図１９】
2018191548.tif 000021